(57)【要約】【課題】音声通話に対応する複数の通信方式の通信ユニットそれぞれを用いて通話を実現可能な無線端末装置を提供すること。【解決手段】スマートフォン１は、リニアＰＣＭ方式の音声信号をアナログ音声信号に変換して出力する音声処理部１８と、第１アンテナ６１Ａにおいて受信した音声信号をリニアＰＣＭ方式の音声信号に変換してコントローラ１０に出力する第１ＲＦ回路部６１Ｂと、第２アンテナ６２Ａにおいて受信した音声信号をμ−ｌａｗＰＣＭ方式の音声信号に変換してコントローラ１０に出力する第２ＲＦ回路部６２Ｂと、第１ＲＦ回路部６１Ｂから出力された音声信号を変換せずに音声処理部１８に出力するとともに、第２ＲＦ回路部６２Ｂから出力された音声信号をリニアＰＣＭ方式の音声信号に変換して音声処理部１８に出力するコントローラ１０とを備える。【選択図】図６
2013247382.tif 000002
【特許請求の範囲】
【請求項１】
第１の通信方式により無線通信を行う第１通信部と、
前記第１の通信方式と異なる第２の通信方式により無線通信を行う第２通信部と、
第１方式の音声信号をアナログ音声信号に変換して出力する音声処理部と、
前記音声処理部に接続され、入力された音声信号の前記音声処理部への出力を制御する制御部と、
前記制御部に接続され、前記第１通信部において受信した音声信号を前記第１方式の音声信号に変換して前記制御部に出力する第１通信処理部と、
前記制御部に接続され、前記第２通信部において受信した音声信号を第２方式の音声信号に変換して前記制御部に出力する第２通信処理部と、を備え、
前記制御部は、前記第１通信処理部から出力された音声信号を変換せずに前記音声処理部に出力するとともに、前記第２通信処理部から出力された前記第２方式の音声信号を前記第１方式の音声信号に変換して前記音声処理部に出力する、
無線端末装置。
【請求項２】
前記第２通信処理部は、前記音声処理部と接続され、
前記第２通信部によりデータ通信が行われている場合、前記第２通信処理部はマスタとして動作し、前記制御部及び前記音声処理部はスレーブとして動作する、
請求項１に記載の無線端末装置。
【請求項３】
前記制御部は、同期信号及びクロック信号を送受信する第１信号送受信部、及び音声信号を送受信する第１音声信号送受信部を有し、
前記第２通信処理部は、同期信号及びクロック信号を送受信する第２信号送受信部、及び音声信号を送受信する第２音声信号送受信部を有し、
前記音声処理部は、同期信号及びクロック信号を送受信する第３信号送受信部、及び音声信号を送受信する第３音声信号送受信部を有し、
前記第１音声信号送受信部は、前記第２音声信号送受信部及び前記第３音声信号送受信部に接続され、
前記第２信号送受信部は、入力値に応じて出力を制御する状態バッファを介して、前記第１信号送受信部及び前記第３信号送受信部に接続され、
前記制御部は、前記第１通信部によりデータ通信が行われている場合、前記第１通信部によりデータ通信が行われている旨を示す第１信号を前記状態バッファに出力し、
前記第２通信処理部は、前記第２通信部によりデータ通信が行われている場合、前記第２通信部によりデータ通信が行われている旨を示す第２信号であって、前記第１信号と異なる第２信号を前記状態バッファに通知し、
前記状態バッファは、前記第１信号が出力されている場合に前記第１信号送受信部と前記第２信号送受信部との信号の送受信を不許可とし、前記第２信号が出力されている場合に前記第２信号送受信部と、前記第１信号送受信部及び前記第３信号送受信部との信号の送受信を許可する、
請求項２に記載の無線端末装置。
【請求項４】
音声信号の音質を調整するための第１パラメータ及び第２パラメータを記憶する記憶部を備え、
前記制御部は、前記第１通信処理部から入力された音声信号を前記第１パラメータに基づいて調整するとともに、前記第２通信処理部から入力された音声信号を前記第２パラメータに基づいて調整する、
請求項１から３のいずれか１項に記載の無線端末装置。
【請求項５】
前記第１方式は、リニアＰＣＭ方式であって、前記第２方式は、μ―ｌａｗＰＣＭ方式である、
請求項１から４のいずれか１項に記載の無線端末装置。
【請求項６】
第１の通信方式により無線通信を行う第１通信部と、
第２の通信方式により無線通信を行う第２通信部と、
デジタル音声信号をアナログ音声信号に変換して出力する音声処理部と、
前記音声処理部に接続され、入力された音声信号を前記音声処理部に出力する制御部と、
前記制御部に接続され、前記第１通信部において受信した音声信号を第１方式の音声信号に変換して前記制御部に出力する第１通信処理部と、
前記音声処理部に接続され、前記第２通信部において受信した音声信号を第２方式の音声信号に変換し、前記音声処理部に出力する第２通信処理部と、を備え、
前記音声処理部は、前記制御部から出力された前記第１方式の音声信号と、前記第２通信処理部から出力された前記第２方式の音声信号とを、それぞれアナログ音声信号に変換して出力する、
無線端末装置。
【発明の詳細な説明】
【技術分野】
【０００１】
本発明は、無線端末装置に関する。
【背景技術】
【０００２】
タッチスクリーンディスプレイを備える無線端末装置が知られている。タッチスクリーンディスプレイを備える無線端末装置には、例えば、スマートフォン及びタブレットが含まれる。タッチスクリーンディスプレイを備える無線端末装置は、タッチスクリーンディスプレイを介して指又はスタイラスペンのジェスチャを検出する。そして、タッチスクリーンディスプレイを備える無線端末装置は、検出したジェスチャに従って動作する。検出したジェスチャに従った動作の例は、例えば、特許文献１に記載されている。
【０００３】
タッチスクリーンディスプレイを備える無線端末装置の基本的な動作は、無線端末装置に搭載されるＡｎｄｒｏｉｄ（登録商標）、ＢｌａｃｋＢｅｒｒｙ（登録商標）  ＯＳ、Ｓｙｍｂｉａｎ（登録商標）  ＯＳ、ｉＯＳ、Ｗｉｎｄｏｗｓ（登録商標）  Ｐｈｏｎｅ等のＯＳ（Ｏｐｅｒａｔｉｎｇ  Ｓｙｓｔｅｍ）によって実現される。
【先行技術文献】
【特許文献】
【０００４】
【特許文献１】国際公開第２００８／０８６３０２号
【発明の概要】
【発明が解決しようとする課題】
【０００５】
ところで、このような無線端末装置では、音声通話に対応する通信方式の通信ユニットが１つしか搭載されていない。複数の通信方式それぞれの通信ユニットは、音声信号の形式が異なっている場合がある。このため、従来の無線端末装置に、新たに、音声通話に対応する通信方式の通信ユニットを搭載したとしても、この通信ユニットの音声データの形式が、無線端末装置に設けられている音声処理部に対応していない場合がある。
【０００６】
本発明は、音声通話に対応する複数の通信方式の通信ユニットそれぞれを用いて通話することができる無線端末装置を提供することを目的とする。
【課題を解決するための手段】
【０００７】
本発明に係る無線端末装置は、第１の通信方式により無線通信を行う第１通信部と、前記第１の通信方式と異なる第２の通信方式により無線通信を行う第２通信部と、第１方式の音声信号をアナログ音声信号に変換して出力する音声処理部と、前記音声処理部に接続され、入力された音声信号の前記音声処理部への出力を制御する制御部と、前記制御部に接続され、前記第１通信部において受信した音声信号を前記第１方式の音声信号に変換して前記制御部に出力する第１通信処理部と、前記制御部に接続され、前記第２通信部において受信した音声信号を第２方式の音声信号に変換して前記制御部に出力する第２通信処理部と、を備え、前記制御部は、前記第１通信処理部から出力された音声信号を変換せずに前記音声処理部に出力するとともに、前記第２通信処理部から出力された前記第２方式の音声信号を前記第１方式の音声信号に変換して前記音声処理部に出力する。
【０００８】
また、本発明に係る無線端末装置では、前記第２通信処理部は、前記音声処理部と接続され、前記第２通信部によりデータ通信が行われている場合、前記第２通信処理部はマスタとして動作し、前記制御部及び前記音声処理部はスレーブとして動作することが好ましい。
【０００９】
また、本発明に係る無線端末装置では、前記制御部は、同期信号及びクロック信号を送受信する第１信号送受信部、及び音声信号を送受信する第１音声信号送受信部を有し、前記第２通信処理部は、同期信号及びクロック信号を送受信する第２信号送受信部、及び音声信号を送受信する第２音声信号送受信部を有し、前記音声処理部は、同期信号及びクロック信号を送受信する第３信号送受信部、及び音声信号を送受信する第３音声信号送受信部を有し、前記第１音声信号送受信部は、前記第２音声信号送受信部及び前記第３音声信号送受信部に接続され、前記第２信号送受信部は、入力値に応じて出力を制御する状態バッファを介して、前記第１信号送受信部及び前記第３信号送受信部に接続され、前記制御部は、前記第１通信部によりデータ通信が行われている場合、前記第１通信部によりデータ通信が行われている旨を示す第１信号を前記状態バッファに出力し、前記第２通信処理部は、前記第２通信部によりデータ通信が行われている場合、前記第２通信部によりデータ通信が行われている旨を示す第２信号であって、前記第１信号と異なる第２信号を前記状態バッファに通知し、前記状態バッファは、前記第１信号が出力されている場合に前記第１信号送受信部と前記第２信号送受信部との信号の送受信を不許可とし、前記第２信号が出力されている場合に前記第２信号送受信部と、前記第１信号送受信部及び前記第３信号送受信部との信号の送受信を許可することが好ましい。
【００１０】
また、本発明に係る無線端末装置は、音声信号の音質を調整するための第１パラメータ及び第２パラメータを記憶する記憶部を備え、前記制御部は、前記第１通信処理部から入力された音声信号を前記第１パラメータに基づいて調整するとともに、前記第２通信処理部から入力された音声信号を前記第２パラメータに基づいて調整することが好ましい。
【００１１】
また、本発明に係る無線端末装置では、前記第１方式は、リニアＰＣＭ方式であって、前記第２方式は、μ―ｌａｗＰＣＭ方式であることが好ましい。
【００１２】
本発明に係る無線端末装置は、第１の通信方式により無線通信を行う第１通信部と、第２の通信方式により無線通信を行う第２通信部と、デジタル音声信号をアナログ音声信号に変換して出力する音声処理部と、前記音声処理部に接続され、入力された音声信号を前記音声処理部に出力する制御部と、前記制御部に接続され、前記第１通信部において受信した音声信号を第１方式の音声信号に変換して前記制御部に出力する第１通信処理部と、前記音声処理部に接続され、前記第２通信部において受信した音声信号を第２方式の音声信号に変換し、前記音声処理部に出力する第２通信処理部と、を備え、前記音声処理部は、前記制御部から出力された前記第１方式の音声信号と、前記第２通信処理部から出力された前記第２方式の音声信号とを、それぞれアナログ音声信号に変換して出力する。
【発明の効果】
【００１３】
本発明によれば、音声通話に対応する複数の通信方式の通信ユニットそれぞれを用いて通話することができる。
【図面の簡単な説明】
【００１４】
【図１】図１は、第１実施形態に係るスマートフォンの外観を示す斜視図である。
【図２】図２は、第１実施形態に係るスマートフォンの外観を示す正面図である。
【図３】図３は、第１実施形態に係るスマートフォンの外観を示す背面図である。
【図４】図４は、第１実施形態に係るスマートフォンのホーム画面の一例を示す図である。
【図５】図５は、第１実施形態に係るスマートフォンの機能を示すブロック図である。
【図６】図６は、第１実施形態に係るスマートフォンにおける第１通信ユニット、第２通信ユニットの詳細な機能を示すブロック図である。
【図７】図７は、第２ＲＦ回路部、コントローラ及び音声処理部の動作を説明する図である。
【図８】図８は、第２実施形態に係るスマートフォンの機能を示すブロック図である。
【図９】図９は、第２実施形態に係るスマートフォンにおける第１通信ユニット、第２通信ユニットの詳細な機能を示すブロック図である。
【発明を実施するための形態】
【００１５】
本発明を実施するための実施形態を、図面を参照しつつ詳細に説明する。
以下では、実施形態に係るシステムを構成する無線端末装置の一例として、スマートフォンについて説明する。
【００１６】
（第１実施形態）
図１から図３を参照しながら、実施形態に係るシステムを構成するスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１７】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００１８】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００１９】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２０】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２１】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２２】
タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２３】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２４】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２５】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２６】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００２７】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００２８】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００２９】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００３０】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップを検出すると、メールアプリケーションを実行する。ここで、スマートフォン１は、例えば、タッチスクリーンディスプレイ２に対するアイコン５０の表示位置（領域）に対応する位置（領域）へのジェスチャを、アイコン５０に対応付けられたアプリケーションの実行命令であると解釈する。
【００３１】
アイコン５０は、画像と文字列を含む。アイコン５０は、画像に代えて、記号又は図形を含んでもよい。アイコン５０は、画像又は文字列のいずれか一方を含まなくてもよい。アイコン５０は、所定の規則に従って配置される。アイコン５０の背後には、壁紙４１が表示される。壁紙は、フォトスクリーン又はバックスクリーンと呼ばれることもある。スマートフォン１は、任意の画像を壁紙４１として用いることができる。画像は、例えば、利用者の設定に従って任意の画像が壁紙４１として決定される。
【００３２】
スマートフォン１は、ホーム画面の数を増減することができる。スマートフォン１は、例えば、ホーム画面の数を利用者による設定に従って決定する。スマートフォン１は、ホーム画面を表示する場合、ホーム画面の数が複数であっても、それらのうちから選択された１つをディスプレイ２Ａに表示する。
【００３３】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００３４】
図４に示す例では、４つのロケータ５１が表示されている。これは、ホーム画面４０の数が４つであることを示す。また、図４に示す例では、左から２番目のシンボルが他のシンボルと異なる態様で表示されている。これは、左から２番目のホーム画面が現在表示されていることを示している。
【００３５】
スマートフォン１は、ホーム画面を表示中に特定のジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。
【００３６】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、現在時刻、天気の情報、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０とは別の画面でも設けられることがある。領域４２が設けられる位置は、ディスプレイ２Ａの上端に限られない。
【００３７】
なお、図４に示したホーム画面４０は、一例であり、各種の要素の形態、各種の要素の配置、ホーム画面４０の数、及びホーム画面４０での各種の操作の仕方等は上記の説明の通りでなくてもよい。
【００３８】
図５は、スマートフォン１の構成を示すブロック図である。スマートフォン１は、タッチスクリーンディスプレイ２と、ボタン３と、照度センサ４と、近接センサ５と、第１通信ユニット６Ａと、第２通信ユニット６Ｂと、レシーバ７と、マイク８と、ストレージ９と、制御部としてのコントローラ１０と、カメラ１２及び１３と、外部インターフェイス１４と、加速度センサ１５と、方位センサ１６と、回転検出センサ１７と、音声処理部１８とを有する。
【００３９】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００４０】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００４１】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００４２】
照度センサ４は、照度を検出する。例えば、照度とは、光の強さ、明るさ、輝度等である。照度センサ４は、例えば、ディスプレイ２Ａの輝度の調整に用いられる。
【００４３】
近接センサ５は、近隣の物体の存在を非接触で検出する。近接センサ５は、例えば、タッチスクリーンディスプレイ２が顔に近付けられたことを検出する。
【００４４】
第１通信ユニット６Ａ及び第２通信ユニット６Ｂは、無線により通信する。
第１通信ユニット６Ａによって用いられる第１の通信方式は、無線通信規格である。例えば、第１の通信方式の無線通信規格として、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００）等がある。他には、例えば、第１の通信方式の無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。第１通信ユニット６Ａは、上述した通信規格の１つ又は複数をサポートしていてもよい。
【００４５】
第２通信ユニット６Ｂによって用いられる第２の通信方式は、第１の通信方式と異なる通信方式であり、無線通信規格である。例えば、第２の通信方式の無線通信規格として、２Ｇ等のセルラーフォンの通信規格がある。例えば、セルラーフォンの通信規格としては、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）等がある。第２通信ユニット６Ｂは、上述した通信規格の１つ又は複数をサポートしていてもよい。
【００４６】
レシーバ７と、マイク８とは、音声処理部１８に接続されている。
レシーバ７は、音声処理部１８から送信されるアナログ音声信号を音声として出力する。マイク８は、利用者等の音声をアナログ音声信号へ変換して音声処理部１８へ送信する。音声処理部１８は、コントローラ１０の制御に従って所定の音声処理を行い、処理後の信号をレシーバ７に出力する。具体的には、音声処理部１８は、リニアＰＣＭ方式の音声信号をアナログ信号に変換してレシーバ７に出力する。音声処理部１８は、マイク８から入力された信号をリニアＰＣＭ方式の音声信号に変換し、この変換された信号をコントローラ１０に出力する。
なお、スマートフォン１は、レシーバ７に加えて、スピーカをさらに有してもよい。スマートフォン１は、レシーバ７に代えて、スピーカをさらに有してもよい。
【００４７】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００４８】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、第１通信ユニット６Ａ又は第２通信ユニット６Ｂによる無線通信又は記憶媒体を介してストレージ９にインストールされてもよい。
【００４９】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。例えば、設定データ９Ｚは、音声信号の音質を調整するための第１パラメータ及び第２パラメータを記憶する。ここで、第１パラメータ、第２パラメータには、それぞれ、音量調整、周波数特性の変更、自動利得制御、エコーキャンセル、ノイズ抑制を行うためのパラメータが含まれている。なお、これらのパラメータは、通常通話、イヤホン通話等の複数の通話状態それぞれにおいて別々に有していてもよい。また、録音時、録音メッセージの再生時、キー操作音等の出力時等、個別の状態それぞれにおいて別々に有していてもよい。
【００５０】
制御プログラム９Ａは、スマートフォン１を稼働させるための各種制御に関する機能を提供する。制御プログラム９Ａは、例えば、第１通信ユニット６Ａ、第２通信ユニット６Ｂ、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００５１】
コントローラ１０は、例えば、ＣＰＵ（Ｃｅｎｔｒａｌ  Ｐｒｏｃｅｓｓｉｎｇ  Ｕｎｉｔ）である。コントローラ１０は、第１通信ユニット６Ａ等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００５２】
具体的には、コントローラ１０は、ストレージ９に記憶されているデータを必要に応じて参照しつつ、ストレージ９に記憶されているプログラムに含まれる命令を実行して、ディスプレイ２Ａ、第１通信ユニット６Ａ及び第２通信ユニット６Ｂ等を制御することによって各種機能を実現する。コントローラ１０は、タッチスクリーン２Ｂ、ボタン３、加速度センサ１５等の各種検出部の検出結果に応じて、制御を変更することもある。
【００５３】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００５４】
カメラ１２は、フロントフェイス１Ａに面している物体を撮影するインカメラである。カメラ１３は、バックフェイス１Ｂに面している物体を撮影するアウトカメラである。
【００５５】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インターフェイス１４は、Ｄｏｃｋコネクタのような専用に設計された端子でもよい。外部インターフェイス１４に接続される装置には、例えば、外部ストレージ、スピーカ、通信装置が含まれる。
【００５６】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００５７】
このように構成されるスマートフォン１は、音声通話に対応する複数の通信方式の通信ユニットそれぞれを用いて通話を実現することができる。以下に、具体的な構成について説明する。なお、以下の説明において、第１アンテナ６１Ａ及び第２アンテナ６２Ａによるデータ通信には、基地局から発信される電波の強度を測定するための信号の受信（待受時の通信）は含まれないものとする。
【００５８】
図６は、スマートフォン１における第１通信ユニット６Ａ、第２通信ユニット６Ｂの詳細な機能を示すブロック図である。
【００５９】
第１通信ユニット６Ａは、第１通信部としての第１アンテナ６１Ａと、第１通信処理部としての第１ＲＦ回路部６１Ｂとを備える。
第１アンテナ６１Ａは、上述した第１の通信方式により、基地局等の外部機器と無線通信を行う。具体的には、第１アンテナ６１Ａは、基地局等の外部機器と、第１ＲＦ回路部６１Ｂにより変調される高周波信号の送受信を行う。例えば、この高周波信号は、通話に係る音声信号を含む。
【００６０】
第１ＲＦ回路部６１Ｂは、第１アンテナ６１Ａにより送受信される高周波信号を処理する。具体的には、第１ＲＦ回路部６１Ｂは、第１アンテナ６１Ａによって受信した信号を所定の復調方式で復調し、復調後の信号をコントローラ１０に供給する。第１ＲＦ回路部６１Ｂは、コントローラ１０から供給された信号を所定の変調方式で変調し、変調後の信号を第１アンテナ６１Ａに供給する。
【００６１】
例えば、第１ＲＦ回路部６１Ｂは、第１アンテナ６１Ａにおいて受信した音声信号を復調（変換）することにより、リニアＰＣＭ方式の音声信号を取得する。第１ＲＦ回路部６１Ｂは、このリニアＰＣＭ方式の音声信号をコントローラ１０に供給する。また、第１ＲＦ回路部６１Ｂは、コントローラ１０からリニアＰＣＭ方式の音声信号が供給されると、この信号を変調し、第１アンテナ６１Ａに供給する。
【００６２】
第２通信ユニット６Ｂは、第２通信部としての第２アンテナ６２Ａと、第２通信処理部としての第２ＲＦ回路部６２Ｂとを備える。
第２アンテナ６２Ａは、上述した第２の移動通信方式により、基地局等の外部機器と無線通信を行う。具体的には、第２アンテナ６２Ａは、基地局等の外部機器と、第２ＲＦ回路部６２Ｂにより変調される高周波信号の送受信を行う。例えば、この高周波信号は、通話に係る音声信号を含む。
【００６３】
第２ＲＦ回路部６２Ｂは、第２アンテナ６２Ａにより送受信される高周波信号を処理する。具体的には、第２ＲＦ回路部６２Ｂは、第２アンテナ６２Ａによって受信した信号を所定の復調方式で復調し、復調後の信号をコントローラ１０に供給する。第２ＲＦ回路部６２Ｂは、コントローラ１０から供給された信号を所定の変調方式で変調し、変調後の信号を第２アンテナ６２Ａに供給する。
【００６４】
例えば、第２ＲＦ回路部６２Ｂは、第２アンテナ６２Ａにおいて受信した音声信号を復調（変換）することにより、μ−ｌａｗＰＣＭ方式の音声信号を取得する。第２ＲＦ回路部６２Ｂは、このμ−ｌａｗＰＣＭ方式の音声信号をコントローラ１０に供給する。また、第２ＲＦ回路部６２Ｂは、コントローラ１０からμ−ｌａｗＰＣＭ方式の音声信号が供給されると、この信号を変調し、第２アンテナ６２Ａに供給する。
【００６５】
コントローラ１０は、第１ＲＦ回路部６１Ｂ及び第２ＲＦ回路部６２Ｂから入力された音声信号の音声処理部１８への出力と、音声処理部１８から入力された音声信号の第１ＲＦ回路部６１Ｂ及び第２ＲＦ回路部６２Ｂへの出力を制御する。
【００６６】
具体的には、コントローラ１０は、第１通信ユニット６Ａにより通信が行われている場合において第１ＲＦ回路部６１Ｂから音声信号が供給されたとき、この音声信号の方式を変換せずに、音声処理部１８に供給する。コントローラ１０は、第２通信ユニット６Ｂにより通信が行われている場合において第２ＲＦ回路部６２Ｂから音声信号が供給されたとき、この音声信号の方式を、μ−ｌａｗＰＣＭ方式からリニアＰＣＭ方式の音声信号に変換し、変換された音声信号を音声処理部１８に供給する。
【００６７】
また、コントローラ１０は、第１通信ユニット６Ａにより通信が行われている場合において音声処理部１８から音声信号が入力されたとき、この音声信号の方式を変換せずに、第１ＲＦ回路部６１Ｂに供給する。
コントローラ１０は、第２通信ユニット６Ｂにより通信が行われている場合において音声処理部１８から音声信号が入力されたとき、この音声信号の方式を、リニアＰＣＭ方式からμ−ｌａｗＰＣＭ方式の音声信号に変換し、第２ＲＦ回路部６２Ｂに供給する。
【００６８】
このようにすることで、音声処理部１８に出力される音声信号は、常にリニアＰＣＭ方式の音声信号となる。そして、音声処理部１８は、リニアＰＣＭ方式の音声信号をアナログ信号に変換（復号化）してレシーバ７に出力する。よって、スマートフォン１は、音声通話に対応する複数の通信ユニットそれぞれを用いて通話を実現することができる。
【００６９】
また、スマートフォン１は、コントローラ１０において音声信号の方式を変換することにより、第２ＲＦ回路部６２Ｂにおいて音声信号を変換する処理を不要とすることができる。よって、スマートフォン１は、第２ＲＦ回路部６２Ｂにおける処理を軽減することができる。また、第２ＲＦ回路部６２Ｂが音声処理部１８の音声符号化（復号化）方式に対応していなくとも、第２ＲＦ回路部６２Ｂを用いて通話を実現することができる。これによって、第１通信ユニットが搭載されている無線端末装置に、大幅な変更を加えることなく、第２通信ユニットを搭載することで、第２通信ユニットを用いた通話を実現することができる。また、スマートフォン１では、音声処理部１８における処理を変更することなく、音声通話に対応する複数の通信方式の通信ユニットそれぞれを用いた通話を実現することができる。
【００７０】
また、コントローラ１０は、第１ＲＦ回路部６１Ｂから音声信号が供給された場合、この音声信号を、ストレージ９に記憶されている第１パラメータ群に基づいて調整する。
また、コントローラ１０は、第２ＲＦ回路部６２Ｂから音声信号が供給された場合、この音声信号を、ストレージ９に記憶されている第２パラメータ群に基づいて調整する。
【００７１】
第１ＲＦ回路部６１Ｂから供給される音声信号と、第２ＲＦ回路部６２Ｂから供給される音声信号とは、通信方式が異なるため、それぞれの音質が異なる。これに対して、コントローラ１０は、それぞれの音声信号に対して、ストレージ９に記憶されている第１パラメータ又は第２パラメータに基づいて調整を行い、それぞれの音声信号に適した調整を行うことができる。
【００７２】
また、第２ＲＦ回路部６２Ｂは、音声処理部１８と接続されている。
第１アンテナ６１Ａにより音声通話等のデータ通信が行われている場合、コントローラ１０は、マスタとして動作する。この場合において、第２ＲＦ回路部６２Ｂ及び音声処理部１８は、スレーブとして動作する。すなわち、第１アンテナ６１Ａにより音声通話等のデータ通信が行われている場合、コントローラ１０は、音声処理部１８に対して同期信号及びクロック信号制御信号を送信することにより、音声処理部１８を制御する。また、この場合において、コントローラ１０の制御信号は、後述の第１状態バッファＢＦ１及び第２状態バッファＢＦ２によって、第２ＲＦ回路部６２Ｂに送信されないように制御される。
【００７３】
他方、第２アンテナ６２Ａにより音声通話等のデータ通信が行われている場合、第２ＲＦ回路部６２Ｂは、マスタとして動作する。この場合において、コントローラ１０及び音声処理部１８は、スレーブとして動作する。すなわち、第２アンテナ６２Ａにより音声通話等のデータ通信が行われている場合、第２ＲＦ回路部６２Ｂは、コントローラ１０及び音声処理部１８に対して同期信号及びクロック信号制御信号を送信することにより、コントローラ１０及び音声処理部１８を制御する。以下に、第２ＲＦ回路部６２Ｂ、コントローラ１０及び音声処理部１８の動作について、より具体的に説明する。
【００７４】
図７は、第２ＲＦ回路部６２Ｂ、コントローラ１０及び音声処理部１８の動作を説明する図である。
【００７５】
図７に示すように、コントローラ１０は、同期信号を送受信する第１同期信号送受信部１０１、クロック信号を送受信する第１クロック信号送受信部１０２、第１音声信号送受信部１０３Ａ、１０３Ｂ、及び第１通知部１０４を有している。第１同期信号送受信部１０１及び第１クロック信号送受信部１０２は、第１信号送受信部として動作する。
【００７６】
第１通知部１０４は、第１状態バッファＢＦ１及び第２状態バッファＢＦ２に接続されている。第１通知部１０４は、第１アンテナ６１Ａによりデータ通信が行われている場合、第１アンテナ６１Ａによりデータ通信が行われている旨を示す第１信号を第１状態バッファＢＦ１及び第２状態バッファＢＦ２に送信する。すなわち、コントローラ１０は、第１アンテナ６１Ａによりデータ通信が行われている場合、第１通知部１０４を介して、第１信号を第１状態バッファＢＦ１及び第２状態バッファＢＦ２に送信する。
【００７７】
第２ＲＦ回路部６２Ｂは、同期信号を送受信する第２同期信号送受信部６２１、クロック信号を送受信する第２クロック信号送受信部６２２、及び音声信号を送受信する第２音声信号送受信部６２３を有している。第２同期信号送受信部６２１及び第２クロック信号送受信部６２２は、第２信号送受信部として動作する。
【００７８】
第２同期信号送受信部６２１は、第１状態バッファＢＦ１に接続されている。また、第２クロック信号送受信部６２２は、第２状態バッファＢＦ２に接続されている。第２同期信号送受信部６２１は、第２アンテナ６２Ａによりデータ通信が行われている場合、第２アンテナ６２Ａによりデータ通信が行われている旨を示す第２信号を第１状態バッファＢＦに送信する。同様に、第２クロック信号送受信部６２２は、第２アンテナ６２Ａによりデータ通信が行われている場合、第２信号を第２状態バッファＢＦ２に送信する。
【００７９】
音声処理部１８は、同期信号を送受信する第３同期信号送受信部１８１、クロック信号を送受信する第３クロック信号送受信部１８２、及び音声信号を送受信する第３音声信号送受信部１８３を有している。第３同期信号送受信部１８１及び第３クロック信号送受信部１８２は、第３信号送受信部として動作する。
【００８０】
図７に示すように、第１音声信号送受信部１０３Ａは、第２音声信号送受信部６２３に接続され、第１音声信号送受信部１０３Ｂは、第３音声信号送受信部１８３に接続されている。第２同期信号送受信部６２１は、第１状態バッファＢＦ１を介して、第１同期信号送受信部１０１及び第３同期信号送受信部１８１に接続されている。第２クロック信号送受信部６２２は、第２状態バッファＢＦ２を介して、第１クロック信号送受信部１０２及び第３クロック信号送受信部１８２に接続されている。
【００８１】
第１状態バッファＢＦ１及び第２状態バッファＢＦ２は、入力値に応じて出力を制御する。具体的には、第１状態バッファＢＦ１は、第１信号が入力されている場合に、第１同期信号送受信部１０１と、第２同期信号送受信部６２１との信号の送受信を不許可とする。第１状態バッファＢＦ１は、第２信号が入力されている場合に、第１同期信号送受信部１０１と、第２同期信号送受信部６２１との信号の送受信を許可する。
【００８２】
第２状態バッファＢＦ２は、第１信号が入力されている場合に、第１クロック信号送受信部１０２と、第２クロック信号送受信部６２２との信号の送受信を不許可とする。第２状態バッファＢＦ２は、第２信号が入力されている場合に、第１クロック信号送受信部１０２と、第２クロック信号送受信部６２２との信号の送受信を許可する。
【００８３】
このように、スマートフォン１は、第１状態バッファＢＦ１及び第２状態バッファＢＦ２を有することにより、第１アンテナ６１Ａによりデータ通信が行われている場合、コントローラ１０から第２ＲＦ回路部６２Ｂに対して信号（同期信号やクロック信号等）が供給されることを防止することができる。これにより、スマートフォン１は、誤動作を防止することができる。
【００８４】
以上、本実施形態によれば、コントローラ１０は、リニアＰＣＭ方式の音声信号を変換せずに音声処理部１８に出力するとともに、μ−ｌａｗＰＣＭ方式からリニアＰＣＭ方式の音声信号に変換して音声処理部１８に出力する。そして、音声処理部１８は、リニアＰＣＭ方式の音声信号をアナログ音声信号に変換して出力する。よって、スマートフォン１は、音声通話に対応する複数の通信方式の通信ユニットそれぞれを用いて通話を実現することができる。
【００８５】
（第２実施形態）
続いて、第２実施形態について説明する。図８は、第２実施形態に係るスマートフォン１の機能を示すブロック図である。図９は、第２実施形態に係るスマートフォン１における第１通信ユニット６Ａ、第２通信ユニット６Ｂの詳細な機能を示すブロック図である。
なお、以下の実施形態の説明にあたって、同一構成要件については同一符号を付し、その説明を省略もしくは簡略化する。
【００８６】
第２実施形態のスマートフォン１は、図８及び図９に示すように、μ−ｌａｗＰＣＭ方式の音声信号の出力先が、音声処理部１８であるという点で、第１実施形態と異なる。
【００８７】
第２ＲＦ回路部６２Ｂは、コントローラ１０と、音声処理部１８とに接続されている。
具体的には、第２ＲＦ回路部６２Ｂは、μ−ｌａｗＰＣＭ方式の音声信号を音声処理部１８に出力する。また、第２ＲＦ回路部６２Ｂは、コントローラ１０と制御信号の送受信を行う。制御信号には、第２ＲＦ回路部６２Ｂにおいてデータ通信を行っているか否かを示す信号が含まれる。
コントローラ１０は、第１ＲＦ回路部６１Ｂから入力されたリニアＰＣＭ方式の音声を変換せずに音声処理部１８に出力する。
【００８８】
音声処理部１８は、コントローラ１０から入力されたリニアＰＣＭ方式の音声信号と、第２ＲＦ回路部６２Ｂから入力されたμ−ｌａｗＰＣＭ方式の音声信号とを、それぞれアナログ音声信号に変換する。そして、音声処理部１８は、アナログ音声をレシーバ７に出力する。
【００８９】
また、音声処理部１８は、第１通信ユニット６Ａにおいてデータ通信が行われている場合に、マイク８から入力されたアナログ音声信号をリニアＰＣＭ方式の音声信号に変換し、コントローラ１０に出力する。また、音声処理部１８は、第１通信ユニット６Ａにおいてデータ通信が行われている場合に、マイク８から入力されたアナログ音声信号をμ−ｌａｗＰＣＭ方式の音声信号に変換し、第２ＲＦ回路部６２Ｂに出力する。
【００９０】
以上、第２実施形態のスマートフォン１は、音声通話に対応する複数の通信方式の通信ユニットそれぞれを用いて通話を実現することができるという、第１実施形態と同様の効果を奏する他、以下のような効果を奏する。すなわち、第２実施形態のスマートフォン１は、音声処理部１８により、コントローラ１０から出力されたリニアＰＣＭ方式の音声信号と、第２ＲＦ回路部６２Ｂから出力されたμ−ｌａｗＰＣＭ方式の音声信号とを、直接アナログ音声信号に変換する。このように、第２実施形態のスマートフォン１は、μ−ｌａｗＰＣＭ方式の音声信号をリニアＰＣＭ方式に変換することなく直接アナログ音声信号に変換し、またアナログ音声信号をμ−ｌａｗＰＣＭ方式の音声信号に変換するので、コントローラ１０における処理を軽減することができる。
【００９１】
なお、図５においてストレージ９が記憶することとしたプログラムの一部又は全部は、第１通信ユニット６Ａ又は第２通信ユニット６Ｂによる無線通信で他の装置からダウンロードされてもよい。また、図５においてストレージ９が記憶することとしたプログラムの一部又は全部は、ストレージ９に含まれる読み取り装置が読み取り可能な記憶媒体に記憶されていてもよい。また、図５においてストレージ９が記憶することとしたプログラムの一部又は全部は、外部インターフェイス１４に接続される読み取り装置が読み取り可能なＣＤ、ＤＶＤ、又はＢｌｕ−ｒａｙ等の記憶媒体に記憶されていてもよい。
【００９２】
また、図５に示したスマートフォン１の構成は一例であり、本発明の要旨を損なわない範囲において適宜変更してよい。例えば、ボタン３の数と種類は図５の例に限定されない。例えば、スマートフォン１は、画面に関する操作のためのボタンとして、ボタン３Ａ〜３Ｃに代えて、テンキー配列又はＱＷＥＲＴＹ配列等のボタンを備えていてもよい。また、スマートフォン１は、画面に関する操作のために、ボタンを１つだけ備えてよいし、ボタンを備えなくてもよい。また、図５に示した例では、スマートフォン１が２つのカメラを備えることとしたが、スマートフォン１は、１つのカメラのみを備えてもよいし、カメラを備えなくてもよい。また、図５に示した例では、スマートフォン１が位置及び姿勢を検出するために３種類のセンサを備えることとしたが、スマートフォン１は、このうちいくつかのセンサを備えなくてもよいし、位置及び姿勢を検出するための他の種類のセンサを備えてもよい。また、照度センサ４と近接センサ５は、別体ではなく、単一のセンサにより構成されてもよい。
【００９３】
本発明を完全かつ明瞭に開示するために特徴的な実施例に関し記載してきた。しかし、添付の請求項に係る発明は、上記実施例に限定されるべきものでなく、本明細書に示した基礎的事項の範囲内で当該技術分野の当業者が創作しうるすべての変形例及び代替可能な構成を具現化するように構成されるべきである。
【００９４】
例えば、図５に示した各プログラムは、複数のモジュールに分割されていてもよいし、他のプログラムと結合されていてもよい。
【符号の説明】
【００９５】
１      スマートフォン
６Ａ    第１通信ユニット
６Ｂ    第２通信ユニット
７      レシーバ
８      マイク
９      ストレージ
１０    コントローラ
１８    音声処理部
６１Ａ  第１アンテナ
６１Ｂ  第１ＲＦ回路部
６２Ａ  第２アンテナ
６２Ｂ  第２ＲＦ回路部
１０１  第１同期信号送受信部
１０２  第１クロック信号送受信部
１０３  第１音声信号送受信部
１０４  第１通知部
１８１  第３同期信号送受信部
１８２  第３クロック信号送受信部
１８３  第３音声信号送受信部
６２１  第２同期信号送受信部
６２２  第２クロック信号送受信部
６２３  第２音声信号送受信部
【図１】
2013247382.tif 000003
【図２】
2013247382.tif 000004
【図３】
2013247382.tif 000005
【図４】
2013247382.tif 000006
【図５】
2013247382.tif 000007
【図６】
2013247382.tif 000008
【図７】
2013247382.tif 000009
【図８】
2013247382.tif 000010
【図９】
2013247382.tif 000011